(57)【特許請求の範囲】
【請求項１】
胴部と、前記胴部の天面を覆う頂部と、を備えて内部に複数の物品を収容し、当該収容状態において略直方体形状を呈する包装袋であって、
前記頂部は、前記天面と平行に配されて前記物品を覆う天面部およびその周縁から立ち上がる立ち上がり部を含み、
前記天面部には、破断に応じ開口を形成することで前記包装袋を開封する開封線が設けられ、
前記立ち上がり部には、互いに係合可能な一対の係合部を有し、前記包装袋の内部を開放／閉塞することが可能な開閉部が設けられ、
前記開閉部は、前記立ち上がり部が囲む前記天面部より上部で前記立ち上がり部内周に沿ってその全体に配置され、前記係合部同士を係合させることで、前記立ち上がり部が前記開口を覆い、
前記開閉部は、収容された前記物品に対し、前記胴部の底面部に垂直な方向において、前記略直方体を前記天面側からみた場合の略長方形の短辺の長さの２分の１より大きい間隙をもって位置するように形成されており、
前記包装袋は、前記物品を複数収容した状態で、前記包装袋の底面部と略垂直な２対の側面部を有し、
前記収容される複数の物品の配列方向が、前記２対の側面部がそれぞれ対向する２つの方向のいずれかであり、
前記物品は、着用可能な衛生用品であることを特徴とする包装袋。
【請求項２】
胴部と、前記胴部の天面を覆う頂部と、を備えて内部に複数の物品を収容し、当該収容状態において略直方体形状を呈する包装袋であって、
前記頂部は、前記胴部の底面部と略平行な仮想面を有し、
前記頂部は、前記天面を覆う、前記仮想面に対して傾斜する一対の傾斜面と前記一対の傾斜面の端縁同士をそれぞれ接続する一対の折り込み部とを有する屋根型形状を呈し、
前記頂部には、破断に応じ開口を形成することで前記包装袋を開封する開封線が設けられ、
前記頂部には、前記包装袋の底部に対して垂直な方向において前記開封線よりも下側に配置され前記一対の傾斜面および前記一対の折り込み部の内側面に設けられる互いに係合可能な一対の係合部を有し、前記包装袋の内部を開放／閉塞することが可能な開閉部が設けられ、
開封後の前記包装袋において、前記開閉部は、収容された前記物品に対し、前記底面部に垂直な方向において、前記略直方体を前記天面側からみた場合の略長方形の短辺の長さの２分の１より大きい間隔をもって位置するように形成されており、
前記包装袋は、前記物品を複数収容した状態で、前記包装袋の底面部と略垂直な２対の側面部を有し、
前記収容される複数の物品の配列方向が、前記２対の側面部がそれぞれ対向する２つの方向のいずれかであり、
前記物品は、着用可能な衛生用品であることを特徴とする包装袋。
【請求項３】
前記開閉部が、収容された前記物品に対し、前記底面部に垂直な方向において、前記略直方体を前記天面側からみた場合の略長方形の短辺の長さの２分の１より大きい間隙をもって位置するように前記物品の収容空間を規制する規制部が前記胴部に設けられていることを特徴とする請求項１に記載の包装袋。
【請求項４】
開封後の前記包装袋において、前記開閉部が、収容された前記物品に対し、前記底面部に垂直な方向において、前記略直方体を前記天面側からみた場合の略長方形の短辺の長さの２分の１より大きい間隔をもって位置するように前記物品の収容空間を規制する規制部が前記胴部に設けられていることを特徴とする請求項２に記載の包装袋。
【請求項５】
前記規制部は、前記４つの側面部のうち、隣り合う２つまたは３つの側面部の部位、または、対向する２つの側面部の部位、を接着することで形成されることを特徴とする請求項３または４に記載の包装袋。
【請求項６】
前記規制部は、ヒートシールによって形成されることを特徴とする請求項３から請求項５のいずれか一項に記載の包装袋。
【請求項７】
前記規制部は、突起を前記包装袋の内側の面に形成することによって設けられることを特徴とする請求項３または４に記載の包装袋。
【請求項８】
前記物品は、衛生用品であることを特徴とする請求項１から請求項７のいずれか一項に記載の包装袋。
【請求項９】
請求項１から請求項８のいずれか一項に記載の包装袋により前記物品が収容されていることを特徴とする包装体。
【発明の詳細な説明】
【技術分野】
【０００１】
本発明は、包装袋および包装体に関し、特に、包装対象となる複数の物品を収容するのに好適な包装袋および当該包装袋により物品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋に、可能な限り多くの数の物品を効率良く収容させるため、形状、材質、収容方法に様々な工夫がなされた包装袋が存在している。例えば、特許文献１には、複数の物品を圧縮した状態で整列して収容することで、効率良く物品を梱包可能な包装袋が示されている。
【０００３】
一方、開封後の包装袋に収容された物品をできる限り清潔に保つために、包装袋の開口を開放／閉塞することが可能な開閉部を包装袋に設けることが好ましいと考えられる。当該開閉部は、例えば、互いに係合して閉塞可能な一対の係合部材で構成されたチャックとして包装袋の頂部に設けられる。
【先行技術文献】
【特許文献】
【０００４】
【特許文献１】特開２００１−２４７１８１号公報
【発明の概要】
【発明が解決しようとする課題】
【０００５】
一般に、収容効率を高めるため、包装袋の内部には、底面から天面に至るまで、物品が密に収容されている。しかし、特許文献１に記載されたような包装袋では、例えば、開閉部としてチャックを包装袋の頂部の開口付近に設けた場合、開封後に、頂部付近まで収容された物品に妨げられ、チャックのうち一方の係合部材と他方の係合部材とを係合させて包装袋を閉塞する動作がやりにくくなり、閉塞動作に手間取る場合があった。
【０００６】
本発明の目的は、簡単且つ迅速に閉塞動作を行うことが可能な包装袋および包装体を提供することにある。
【課題を解決するための手段】
【０００７】
本発明による包装袋は、胴部と、胴部の天面を覆う頂部と、を備え、物品を複数収容した状態で略直方体形状を呈する包装袋であって、頂部には、胴部の底面部と略平行な天面部と、頂部に包装袋の内部を開放／閉塞することが可能な開閉部と、が設けられ、開閉部は、収容された物品に対し、胴部の底面部に垂直な方向において、略直方体を天面側からみた場合の略長方形の短辺の長さの２分の１より大きい間隙をもって位置するように形成されていることを特徴とするものである。
【０００８】
また、本発明による包装袋は、胴部と、胴部の天面を覆う頂部と、を備えて物品を収容可能な包装袋であって、頂部に包装袋の内部を開放／閉塞することが可能な開閉部が設けられ、開閉部が、収容された物品に対し間隙をもって位置するように物品の収容空間を規制する規制部が胴部に設けられていることを特徴とするものである。
【０００９】
さらに、本発明による包装体は、本発明による包装袋によって物品を収容したことを特徴とするものである。
【発明の効果】
【００１０】
本発明の包装袋および包装体によれば、簡単且つ迅速に包装袋を閉塞することが可能となる。
【図面の簡単な説明】
【００１１】
【図１】本発明の実施形態１に係る、開封前の包装袋および包装体の斜視図である。
【図２】本発明の実施形態１に係る、開封前の包装袋および包装体を示す図であり、（ａ）は図１のＩＩＡ方向の正面図、（ｂ）は上面図、（ｃ）は底面図である。
【図３】本発明の実施形態１に係る包装袋を閉塞する様子について説明するために模式的に表した断面図であり、（ａ）は図２（ｂ）のＩＩＩＡ−ＩＩＩＡ方向断面図、（ｂ）は開封後かつ閉塞後の包装袋の開閉部付近を示す図である。
【図４】本発明の実施形態１に係る、閉塞後の包装袋および包装体の斜視図である。
【図５】本発明の実施形態２に係る、開封前の包装袋および包装体の斜視図である。
【図６】本発明の実施形態２に係る、開封前の包装袋および包装体を示す図であり、（ａ）は図５のＶＩＡ方向の正面図、（ｂ）は図６（ａ）のＶＩＢ−ＶＩＢ方向断面図である。
【図７】包装袋および包装体の４つの側面部のうち隣り合う３つの側面部の部位を接着することで形成される規制部の一例を模式的に示す図である。
【図８】本発明の実施形態３に係る、規制部によって間隙が形成された包装袋および包装体の斜視図である。
【図９】図８のＩＸ方向の包装袋および包装体の正面図である。
【図１０】本発明の実施形態３に係る包装袋および包装体に設けられた規制部の形状の一例を示す図である。
【図１１】本発明の実施形態４−１に係る、開封前の包装袋および包装体の斜視図である。
【図１２】本発明の実施形態４−１に係る、開封前の包装袋および包装体を示す図であり、（ａ）は図１１のＸＩＩＡ方向の正面図、（ｂ）は上面図、（ｃ）は底面図である。
【図１３】図１２（ａ）のＸＩＩＩ−ＸＩＩＩ方向断面図である。
【図１４】本発明の実施形態４−１に係る、開封後の包装袋および包装体を示す図であり、（ａ）は斜視図、（ｂ）は図１４（ａ）のＸＩＶＢ方向の正面図、（ｃ）は上面図である。
【図１５】図１２（ａ）のＸＶ−ＸＶ方向断面を模式的に表した図である。
【図１６】本発明の実施形態４−１に係る包装袋を閉塞する様子について説明するために模式的に表した断面図であり、（ａ）は図１２（ｂ）のＸＶＩＡ−ＸＶＩＡ方向断面図、（ｂ）は図１４（ｃ）のＸＶＩＢ−ＸＶＩＢ方向断面図、（ｃ）は開封後かつ閉塞後の包装袋の開閉部付近を示す図である。
【図１７】本発明の実施形態４−１に係る、閉塞後の包装袋および包装体の斜視図である。
【図１８】本発明の実施形態４−２に係る、開封前の包装袋および包装体の斜視図である。
【図１９】本発明の実施形態４−２に係る、開封前の包装袋および包装体を示す図であり、（ａ）は図１８のＸＩＸＡ方向の正面図、（ｂ）は上面図、（ｃ）は底面図である。
【図２０】本発明の実施形態４−２に係る、開封後の包装袋および包装体を示す図であり、（ａ）は斜視図、（ｂ）は図２０（ａ）のＸＸＢ方向の正面図、（ｃ）は上面図である。
【図２１】図１９（ａ）のＸＸＩ−ＸＸＩ方向断面を模式的に表した図である。
【図２２】本発明の実施形態４−２に係る包装袋を閉塞する様子について説明するために模式的に表した断面図であり、（ａ）は図１９（ｂ）のＸＸＩＩＡ−ＸＸＩＩＡ方向断面図、（ｂ）は図２０（ｃ）のＸＸＩＩＢ−ＸＸＩＩＢ方向断面図、（ｃ）は開封後かつ閉塞後の包装袋の開閉部付近を示す図である。
【図２３】本発明の実施形態４−２に係る、閉塞後の包装袋および包装体の斜視図である。
【図２４】本発明の実施形態５に係る、開封前の包装袋および包装体の斜視図である。
【図２５】本発明の実施形態５に係る、開封前の包装袋および包装体を示す図であり、（ａ）は図２４のＸＸＶＡ方向の正面図、（ｂ）は上面図である。
【図２６】本発明の実施形態５に係る、開封前の包装袋および包装体の模式的な断面図であり、（ａ）は図２５（ｂ）のＸＸＶＩＡ−ＸＸＶＩＡ方向断面図、（ｂ）は図２５（ｂ）のＸＸＶＩＢ−ＸＸＶＩＢ方向断面図である。
【発明を実施するための形態】
【００１２】
以下、図面を参照しながら本発明を実施するための形態を詳細に説明する。
【００１３】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１４】
また、本明細書および特許請求の範囲の記載において、「包装体」とは、物品が収容された状態の包装袋、特に包装袋に複数の物品が収容されることで製造された後であって且つ開封前のものをいう。
【００１５】
さらに、本明細書および特許請求の範囲の記載における「閉鎖」という用語は、包装体の内部を雰囲気から完全に遮断すること（すなわち封止すること）だけでなく、包装体の内部を異物の侵入から効果的に保護できる程度に実質的に包装袋を閉じることも包含するものである。
【００１６】
本明細書および特許請求の範囲の記載において、「接着」とは、接着剤を使用したものの他、溶着によるもの、熱融着（以下、ヒートシールということがある）によるものも含む。
【００１７】
本発明の実施形態に係る包装袋は、当該包装袋に収容された物品と当該包装袋の頂部に設けられた開閉部とに間隙を設けることにより、開閉部のうち一方の係合部材と他方の係合部材とを係合し易くさせることで、簡単且つ迅速に包装袋を閉塞することが可能となるものである。
【００１８】
＜実施形態１＞  
図１および図２に本発明の実施形態１に係る、開封前の包装袋１および包装体１００を示し、図１は斜視図、図２（ａ）は図１のＩＩＡ方向の正面図、図２（ｂ）は上面図、図２（ｃ）は底面図をそれぞれ表す。
【００１９】
本実施形態に係る包装袋１は、いわゆる、天面側に片ガセットを配置したタイプのものである。包装袋１は、天面と底面との間の物品（本実施形態では衛生用品２）を収容する空間を実質的に画成する胴部３と、当該胴部３の天面を覆う頂部４とを備えて構成される。なお、これらの部分は別体に製造された後に一体化されたものではなく、１枚のシート状部材の折り曲げ等によって予め一体に形成されているものである。
【００２０】
本実施形態の包装袋１は、衛生用品２を複数収容した状態で略直方体形状を呈し、包装袋１の底面部と略垂直な４つの側面部を有する。図２（ｂ）に示すように、その略直方体を包装袋１の天面側からみた場合の包装袋１の上面の形状は略長方形である。本実施形態では、その略長方形のうち短辺の長さをＬａとする。なお、本明細書および特許請求の範囲の記載において「略直方体」というときは、当然に立方体も含まれるし、「略長方形」というときは、当然に正方形も含まれる。包装袋１の上面の形状が正方形である場合、いずれの辺を本明細書および特許請求の範囲の記載における短辺（または長辺）とみなしてもよい。
【００２１】
頂部４には、包装袋１の胴部３の底面部（図２（ｃ）を参照）と略平行な天面部５とこれに付帯する立ち上がり部６とが設けられる。天面部５の中央付近には、上記略長方形の長辺と略平行に開封線７が設けられ、これを破断することで、包装袋１が開封され、包装袋１の開口が形成される。開封線７は、例えば、ミシン目として天面部５上に形成される。
【００２２】
頂部４には、包装袋１の内部を開放／閉塞することが可能な開閉部８が設けられる。開閉部８は、例えば、互いに係合（例えば、咬合）して閉塞可能な一対の係合部材を有するチャックで構成され、図１および図２（ｂ）に示すように、互いに係合可能な雌係合部材８ａと雄係合部材８ｂとで構成される。本実施形態では、開閉部８は、包装袋１の胴部３の底面部と略平行であって、頂部４の立ち上がり部６のうち内周部分に設けられ、例えば、包装袋１の表面に接着することによって形成される。本実施形態では、図２（ｂ）に示す略長方形の上半分の内周部分に雌係合部材８ａが形成され、図２（ｂ）に示す略長方形の下半分の内周部分に雄係合部材８ｂが形成される。開閉部８を設けることによって、必要な枚数の衛生用品２を取り出した後、開閉部８により包装袋１の開口を閉塞することが可能となるため、開封後に塵埃や虫などの異物が侵入し衛生用品２に付着することを防止することが可能となる。
【００２３】
図２（ａ）に示すように、開閉部８は、収容した衛生用品２に対し、胴部３の底面部に垂直な方向において、間隙Ｌｂをもって位置するように形成されている。本実施形態では、当該間隙Ｌｂが設けられることによって、開閉部８のうち雌係合部材８ａと雄係合部材８ｂとが、互いに対峙して容易に係合できる範囲に移動することが可能となるため、包装袋１を簡単且つ迅速に閉塞することが可能となる。ここで、間隙Ｌｂは、略長方形の長辺に相当する立ち上がり部６の対向側面部分を短辺方向に引き寄せて開閉部８を閉じる（雌係合部材８ａおよび雄係合部材８ｂの係合を行わせる）という条件に基づけば、短辺の長さＬａの２分の１より大きくあるべきである。さらに、開閉操作を行い易くするためには、開閉部８は立ち上がり部６の上縁に近い位置に設けられることが好ましい。
【００２４】
図３を用い、本発明の実施形態１に係る包装袋１を閉塞する様子について説明する。ここで、図３（ａ）は、図２（ｂ）のＩＩＩＡ−ＩＩＩＡ方向断面を模式的に表した図であって、開封前の包装袋１の開閉部８付近を示し、図３（ｂ）は、開封後かつ閉塞後の包装袋１の開閉部８付近の断面を模式的に示す。また、図４に閉塞後の包装袋１の斜視図を示す。
【００２５】
開封前の包装袋１の開閉部８については、図３（ａ）に示すように、雌係合部材８ａと雄係合部材８ｂとが互いに離れて、対向している様子がわかる。開封後の包装袋１を閉塞する際の開閉部８については、図３（ｂ）に示すように、雌係合部材８ａと雄係合部材８ｂとが互いに係合して包装袋１を閉塞している様子がわかる。包装袋１を閉塞すると、包装袋１は図４に示すような状態になる。
【００２６】
ここで包装袋１の製造工程の一例を以下に述べる。
【００２７】
包装袋１は、一側縁にはガセット部が設けられ、当該一側縁に対向する他側縁が開放状態になった長尺状のフィルム（以下、片ガセットフィルムと言うことがある）から製造される。上記ガセット部は、一側縁を谷折りにしたガセット構造となっており、一側縁を谷折りにして形成される２つの山（以下、ガセット半部と言うことがある）を有する。
【００２８】
（１）先ず、包装袋１の天面部５および立ち上がり部６が形成される領域を設けるため、ガセット半部の先端から基端までの間のうち一定幅で、図２（ａ）に示す包装袋１の正面から見て横方向に相当する方向（片ガセットフィルムの長手方向）に、ガセット半部の内側の面を接着する。この接着は、２つのガセット半部についてそれぞれ行われ、例えば、ヒートシールによって行われる。  
【００２９】
（２）そして、図２（ａ）に示す包装袋１の正面から見て横方向に相当する方向（片ガセットフィルムの長手方向）において所定間隔で、一側縁から他側縁までを一定幅で片ガセットフィルムを接着し、片ガセットフィルムに複数の接着部を形成させる。  
【００３０】
（３）次に、接着部の幅が半分になるように、図２（ａ）に示す包装袋１の高さ方向に相当する方向（片ガセットフィルムの短手方向）に沿って、複数の接着部をそれぞれ切断していくと、両側端が接着された個々の袋状のフィルムを得ることができる。  
【００３１】
（４）個々になった袋状のフィルムのうちガセット部を折り畳んで、天面部５、立ち上がり部６、および４つの側面部を形成することによって、底面部が開放状態の包装袋１を得ることができる。得られた包装袋１の４つの側面部のうち、隣り合う２つまたは３つの側面部の部位、または、対向する２つの側面部の部位に、適宜の接着処理を施し、後述する規制部を形成することができる。衛生用品は、その開放された他側縁から挿入され、図１の破断部分に示すように収容され、他側縁を折り込むことによって包装袋１に収容されることになる。折り込まれた他側縁は、接着によって封止される。
【００３２】
包装袋１の４つの側面部のうち対向する２つの側面部は、接着部を切断したときにできるシール部を中央付近にそれぞれ有し、残りの対向する２つの側面部は、シール部を有さない略フラットな面をそれぞれ有する。
【００３３】
＜実施形態２＞  
本発明の実施形態２では、実施形態１と異ならせ、包装袋には、物品（本実施形態では衛生用品２）を収容する際に図２（ａ）に示す間隙Ｌｂが形成されるように、衛生用品２の収容空間を規制する。衛生用品２の収容空間を規制することで、包装袋内に間隙Ｌｂが強制的に形成され、雌係合部材８ａと雄係合部材８ｂとが係合しやすくなり、その結果、包装袋を閉塞しやすくなる。
【００３４】
図５および図６に本発明の実施形態２に係る、開封前の包装袋１および包装体１１０を示し、図５は斜視図、図６（ａ）は図５のＶＩＡ方向の正面図、図６（ｂ）は図６（ａ）のＶＩＢ−ＶＩＢ方向断面図をそれぞれ示す。本実施形態に係る包装袋を構成する各要素のうち、同様の機能を有するものについては、実施形態１と同一の符号を付してその説明を省略する。
【００３５】
本実施形態では、開閉部８が、収容された衛生用品２に対し間隙Ｌｂをもって位置するように衛生用品２の収容空間を規制する規制部９が包装袋１の面に設けられている。規制部９は、包装袋１の底面部と略垂直な４つの側面部のうち、隣り合う２つの側面部の部位を接着することで形成される。具体的には、規制部９は、図６（ｂ）に示すように、包装袋１の四隅付近の、４つの側面部の内側の面同士をそれぞれ接着することで形成される。規制部９は、例えば、ヒートシールによって形成される。図６（ｂ）に示すように、包装袋１の四隅付近が接着され、包装袋１の断面積が包装袋１の天面部５の面積より小さくなっていることがわかる。よって、図６（ａ）に示すように、収容された衛生用品２が、これ以上包装袋１の上部に行かないようになり、間隙Ｌｂが保持されることになる。なお、本実施形態では、隣り合う２つの側面部の部位を接着する形態を示したが、次の図７に示すような３つの側面部の部位を接着して規制部９を形成することも可能である。
【００３６】
図７に包装袋１および包装体１１０の４つの側面部のうち隣り合う３つの側面部の部位を接着することで形成される規制部９の一例を模式的に示す。図７は、図６（ｂ）に示す包装袋１の頂部付近の断面図に相当するものである。当該規制部９は、図７に示すように、対向する２つの側面部を折り畳むことで形成される折り畳み部Ａのうち包装袋１の面の３つの重なり部分を相互に接着することで形成される。
【００３７】
本実施形態では、包装袋１の開放された底面部から衛生用品２を挿入する際に、当該規制部９によって収容場所の範囲が定まり、強制的に包装袋１内に間隙Ｌｂが形成される。したがって、本実施形態によれば、実施形態１より、開閉部８のうち雌係合部材８ａと雄係合部材８ｂとが係合され易くなり、その結果、包装袋１を簡単且つ迅速に閉塞することが可能となる。包装袋１の閉塞の詳細については、上記図３（ｂ）、図４について説明した実施形態１と同様である。尚、本実施形態では、規制部９は、包装袋１の四隅付近に形成されているが、包装袋１内に間隙Ｌｂが形成されるという目的が達成され、且つ、衛生用品２の取り出しが可能であれば、包装袋１のどの箇所に設けられても良い。例えば、規制部９は、次の実施形態３で説明するような、４つの側面部のうち対向する２つの側面部の部位を接着することで形成されるものであっても良い。
【００３８】
＜実施形態３＞  
本発明の実施形態３では、上記規制部を包装袋のうち２箇所に設ける例について説明する。
【００３９】
図８および図９に本発明の実施形態３に係る、規制部９によって間隙が形成された包装袋１および包装体１２０を示し、図８は斜視図、図９は図８のＩＸ方向の正面図である。
【００４０】
本実施形態に係る包装袋１では、物品（本実施形態では衛生用品２）を収容する際に間隙Ｌｂが形成されるように、衛生用品２の収容空間を規制する規制部９が設けられる。具体的には、規制部９は、図９に示すように、包装袋１のうち対向する２つの側面部の内側の面同士を２箇所接着することで形成される。図８に示すように、包装袋１のうち対向する側面部が頂部４付近において接着されているので、収容された衛生用品２が、これ以上包装袋１の上部に行かないようになり、間隙Ｌｂが保持されることになる。
【００４１】
本実施形態では、包装袋１の開放された底面部から衛生用品２を挿入する際に、当該規制部９によって収容場所の範囲が定まり、強制的に包装袋内に間隙Ｌｂが形成される。本実施形態によれば、実施形態１より、開閉部８のうち雌係合部材８ａと雄係合部材８ｂとが係合され易くなり、その結果、包装袋１を簡単且つ迅速に閉塞することが可能となる。
【００４２】
本実施形態では、図８および図９に示すようにハの字の形状に規制部９を設けることが好ましい。底面部から衛生用品２を挿入する際に衛生用品２によって生じる力（例えば挿入する力や復元力）によって、ヒートシールが容易に剥がれないようにするためである。
【００４３】
図１０に本発明の実施形態３に係る包装袋１および包装体１２０に設けられる規制部の形状の一例を示す。本実施形態では、規制部９は、ハの字の形状になっているが、これに限られず、ヒートシールが容易に剥がれないという効果が得られるのであれば、図１０に示すような逆Ｌ字の形状の２つの規制部９’であっても良い。
【００４４】
＜実施形態４＞  
本発明の実施形態４に係る包装袋は、胴部の天面を覆う屋根型形状の頂部を有したものである。このような実施形態１から実施形態３と異なる形状の包装袋についても、包装袋の内部に規制部を設けることで、包装袋内に間隙Ｌ’ｂ（後述する図１４（ｂ）および図２０（ｂ）を参照）が強制的に形成される結果、包装袋を簡単且つ迅速に閉塞することが可能となる。
【００４５】
開封線および開閉部が設けられる位置がそれぞれ異なる包装袋の２つの形態について、次の実施形態４−１および実施形態４−２においてそれぞれ説明する。図１１から図２３に示す実施形態４−１および実施形態４−２に係る包装袋を構成する各要素のうち、同様の機能を有するものについては、同一の符号を付してその説明を省略する。
【００４６】
＜実施形態４−１＞  
本発明の実施形態４−１に係る包装袋では、屋根型形状を構成する一対の傾斜面部の一方に開封線を設け、一対の傾斜面部の内周に開閉部を設ける。
【００４７】
図１１、図１２、および図１３に本発明の実施形態４−１に係る、開封前の包装袋１０および包装体１３０を示し、図１１は斜視図、図１２（ａ）は図１１のＸＩＩＡ方向の正面図、図１２（ｂ）は上面図、図１２（ｃ）は底面図、図１３は図１２（ａ）のＸＩＩＩ−ＸＩＩＩ方向断面図をそれぞれ表す。また、図１４に本実施形態に係る、開封後の包装袋１０’および包装体１３０’を示し、図１４（ａ）は斜視図、図１４（ｂ）は図１４（ａ）のＸＩＶＢ方向の正面図、図１４（ｃ）は上面図をそれぞれ表す。
【００４８】
包装袋１０は、天面と底面との間の衛生用品２を収容する空間を実質的に画成する胴部２３と、胴部２３の天面を覆う頂部２４とを備えて構成される。なお、これらの部分は別体に製造された後に一体化されたものではなく、１枚のシート状部材の折り曲げ等によって予め一体に形成されているものである。
【００４９】
本実施形態の包装袋１０は、包装袋１０の底面部（図１２（ｃ）を参照）と略垂直な４つの側面部を有する。図１２（ｂ）に示すように、包装袋１０の天面側からみた場合の包装袋１０の上面の形状は略長方形である。本実施形態では、その略長方形のうち短辺をＬ’ａとする。
【００５０】
頂部２４には、一対の傾斜面部２５とこれらに挟まれるように立ち上がり部２６とが設けられる。一対の傾斜面部２５の一方には、図１２（ａ）に示すように、図１２（ｂ）に示す略長方形の長辺と略平行に開封線２７が設けられ、これを破断することで、包装袋１０が開封され、包装袋１０の開口が形成される。
【００５１】
図１５は図１２（ａ）のＸＶ−ＸＶ方向断面を模式的に表した図である。この断面は、包装袋１０の頂部２４を、開封線２７を含めるように破断したときに形成される開口を簡略的に示したものである。図１５では開封線２７を間欠的にハッチングした部分で表す。本実施形態では、図１１、図１２および図１５に示すように、開封線２７は、胴部２３の底面部に略平行であって、一対の傾斜面部２５の一方の面（図１２（ｂ）では下側の傾斜面部２５）と、頂部２４のうち一対の側面部（図１１のＸＩＩＡ方向と平行な一対の側面部）の上方に延在する折り込み部分とに形成され、一対の傾斜面部２５の他方の面（図１２（ｂ）では上側の傾斜面部２５）には形成されていないことがわかる。このように形成された開封線２７を破断すると、図１４（ａ）および図１４（ｂ）に示すように、立ち上がり部２６が残った状態で、包装袋１０に略長方形の開口が形成され、包装袋１０が開封される。
【００５２】
包装袋１０の内側の面のうち頂部２４には、包装袋１０の内部を開放／閉塞することが可能な開閉部２８が設けられる。開閉部２８は、実施形態１と同様に、例えば、互いに係合して閉塞可能な一対の係合部材で構成されたチャックで構成され、図１１および図１２（ｂ）に示すように、互いに係合可能な雌係合部材２８ａと雄係合部材２８ｂとで構成される。本実施形態では、開閉部２８は、包装袋１０の胴部２３の底面部と略平行であって、包装袋１０の傾斜面部２５のうち内側の面に設けられる。本実施形態では、図１４（ｃ）に示す略長方形の上半分の内周部分に雌係合部材２８ａが形成され、図１４（ｃ）に示す略長方形の下半分の内周部分に雄係合部材２８ｂが形成される。
【００５３】
本実施形態では、実施形態２と同様に、開閉部２８が、収容された衛生用品２に対し図１４（ｂ）に示す間隙Ｌ’ｂをもって位置するように衛生用品２の収容空間を規制する規制部９が包装袋１０の面に設けられている。間隙Ｌ’ｂは、図１４（ｂ）に示すように、収容された衛生用品２と開閉部２８との間の、開封後の包装袋１０’の胴部２３の底面部に垂直な方向における間隙である。具体的には、規制部９は、図１１および図１２（ａ）に示すように、包装袋１０の四隅付近の、４つの側面部の内側の面同士をそれぞれ接着することで形成される。図１３に示すように、包装袋１０の四隅付近が接着され、包装袋１０の断面積が図１４（ｃ）に示す包装袋１０’の開口の面積より小さくなっていることがわかる。よって、図１４（ｂ）に示すように、収容された衛生用品２が、これ以上包装袋の上部に行かないようになり、間隙Ｌ’ｂが保持されることになる。
【００５４】
本実施形態では、実施形態２と同様に、強制的に包装袋内に間隙Ｌ’ｂが形成される。当該間隙Ｌ’ｂが設けられることによって、開閉部２８のうち雌係合部材２８ａと雄係合部材２８ｂとが、互いに対峙して容易に係合できる範囲に移動することが可能となるため、包装袋１０’を簡単且つ迅速に閉塞することが可能となる。
【００５５】
図１６を用い、本発明の実施形態４−１に係る包装袋１０’を閉塞する様子について説明する。ここで、図１６（ａ）は、図１２（ｂ）のＸＶＩＡ−ＸＶＩＡ方向断面を模式的に表した図であって、開封前の包装袋１０の開閉部２８付近を示し、図１６（ｂ）は、図１４（ｃ）のＸＶＩＢ−ＸＶＩＢ方向断面を模式的に表した図であって、開封後の包装袋１０’の開閉部２８付近を示し、図１６（ｃ）は、開封後かつ閉塞後の包装袋１０’の開閉部２８付近の断面を模式的に示す。また、図１７に閉塞後の包装袋１０’の斜視図を示す。
【００５６】
開封前の包装袋１０の開閉部２８については、図１６（ａ）に示すように、雌係合部材２８ａと雄係合部材２８ｂとが互いに離れて、並行して配設されている様子がわかる。開封後の包装袋１０’の開閉部２８については、図１６（ｂ）に示すように、雌係合部材２８ａと雄係合部材２８ｂとが互いに離れて、対向している様子がわかる。閉塞する際の開閉部２８については、図１６（ｃ）に示すように、雌係合部材２８ａと雄係合部材２８ｂとが互いに係合して包装袋１０’を閉塞している様子がわかる。包装袋１０’を閉塞すると、包装袋１０’は図１７に示すような状態になる。
【００５７】
＜実施形態４−２＞  
本発明の実施形態４−２に係る包装袋では、屋根型形状を構成する一対の傾斜面部の双方に開封線を設け、一対の傾斜面部の内周に開閉部を設ける。
【００５８】
図１８および図１９に本発明の実施形態４−２に係る、開封前の包装袋１０および包装体１４０を示し、図１８は斜視図、図１９（ａ）は図１８のＸＩＸＡ方向の正面図、図１９（ｂ）は上面図、図１９（ｃ）は底面図をそれぞれ表す。また、図２０に本実施形態に係る、開封後の包装袋１０’および包装体１４０’を示し、図２０（ａ）は斜視図、図２０（ｂ）は図２０（ａ）のＸＸＢ方向の正面図、図２０（ｃ）は上面図をそれぞれ表す。
【００５９】
本実施形態の包装袋１０は、実施形態４−１と同様に、包装袋１０の底面部（図１９（ｃ）を参照）と略垂直な４つの側面部を有する。図１９（ｂ）に示すように、包装袋１０の天面側からみた場合の包装袋１０の上面の形状は略長方形である。本実施形態では、その略長方形のうち短辺をＬ’ａとする。
【００６０】
一対の傾斜面部２５には、図１９（ａ）に示すように、図１９（ｂ）に示す略長方形の長辺と略平行に開封線２７が設けられ、これを破断することで、包装袋１０が開封され、包装袋１０の開口が形成される。
【００６１】
図２１は図１９（ａ）のＸＸＩ−ＸＸＩ方向断面を模式的に表した図である。この断面は、包装袋１０の頂部２４を、開封線２７を含めるように破断したときに形成される開口を簡略的に示したものである。図２１では開封線２７を間欠的にハッチングした部分で表す。本実施形態では、図１８、図１９および図２１に示すように、開封線２７は、胴部２３の底面部に略平行であって、一対の傾斜面部２５の双方の面と、頂部２４のうち一対の側面部（図１８のＸＩＸＡ方向と平行な一対の側面部）の上方に延在する折り込み部分とに形成されていることがわかる。このように形成された開封線２７を破断すると、図２０（ａ）および図２０（ｂ）に示すように、立ち上がり部２６が除去され、包装袋１０に略長方形の開口が形成され、包装袋１０が開封される。
【００６２】
包装袋１０の内側の面のうち頂部２４には、実施形態４−１と同様に、包装袋１０の内部を開放／閉塞することが可能な開閉部２８が設けられる。開閉部２８は、実施形態４−１と同様に、互いに係合可能な雌係合部材２８ａと雄係合部材２８ｂとで構成される。本実施形態では、開閉部２８は、包装袋１０の胴部２３の底面部と略平行であって、包装袋１０の傾斜面部２５のうち内側の面に設けられる。本実施形態では、図２０（ｃ）に示す略長方形の上半分の内周部分に雌係合部材２８ａが形成され、図２０（ｃ）に示す略長方形の下半分の内周部分に雄係合部材２８ｂが形成される。
【００６３】
本実施形態では、実施形態４−１と同様に、開閉部２８が、収容された衛生用品２に対し図２０（ｂ）に示す間隙Ｌ’ｂをもって位置するように衛生用品２の収容空間を規制する規制部９が包装袋１０の面に設けられている。規制部９の詳細や、規制部９によって形成される間隙Ｌ’ｂの定義については、実施形態４−１と同様である。
【００６４】
本実施形態では、実施形態４−１と同様に、強制的に包装袋内に間隙Ｌ’ｂが形成される。当該間隙Ｌ’ｂが設けられることによって、開閉部２８のうち雌係合部材２８ａと雄係合部材２８ｂとが、互いに対峙して容易に係合できる範囲に移動することが可能となるため、包装袋１０’を簡単且つ迅速に閉塞することが可能となる。
【００６５】
図２２を用い、本発明の実施形態４−２に係る包装袋１０’を閉塞する様子について説明する。ここで、図２２（ａ）は、図１９（ｂ）のＸＸＩＩＡ−ＸＸＩＩＡ方向断面を模式的に表した図であって、開封前の包装袋１０および包装体１４０の開閉部２８付近を示し、図２２（ｂ）は、図１９（ｃ）のＸＸＩＩＢ−ＸＸＩＩＢ方向断面を模式的に表した図であって、開封後の包装袋１０’および包装体１４０’の開閉部２８付近を示す。また、図２２（ｃ）は、開封後かつ閉塞後の包装袋１０’および包装体１４０’の開閉部２８付近の断面を模式的に示す。さらに、図２３に閉塞後の包装袋１０’および包装体１４０’の斜視図を示す。
【００６６】
開封前の包装袋１０の開閉部２８については、図１９（ｂ）、図２２（ａ）に示すように、雌係合部材２８ａと雄係合部材２８ｂとが互いに離れて、並行して配設され、開封後の包装袋１０’の開閉部２８については、図２２（ｂ）に示すように、雌係合部材２８ａと雄係合部材２８ｂとが互いに離れて、対向している様子がわかる。閉塞する際の開閉部２８については、図２２（ｃ）に示すように、雌係合部材２８ａと雄係合部材２８ｂとが互いに係合して包装袋１０’を閉塞している様子がわかる。包装袋１０’を閉塞すると、包装袋１０’は図２３に示すような状態になる。
【００６７】
＜実施形態５＞  
本発明の実施形態５では、上記規制部の代わりに、突起を包装袋の内側の面に形成する。これにより、実施形態２と同様に、包装袋内に間隙Ｌｂが強制的に形成され、雌係合部材８ａと雄係合部材８ｂとが係合しやすくなり、その結果、包装袋を閉塞しやすくなる。
【００６８】
図２４から図２６に本発明の実施形態５に係る、開封前の包装袋１および包装体１５０をそれぞれ示す。図２４は斜視図、図２５（ａ）は図２４のＸＸＶＡ方向の正面図、図２５（ｂ）は上面図、図２６（ａ）は図２５（ｂ）のＸＸＶＩＡ−ＸＸＶＩＡ方向断面を模式的に表した図、図２６（ｂ）は図２５（ｂ）のＸＸＶＩＢ−ＸＸＶＩＢ方向断面を模式的に表した図をそれぞれ示す。本実施形態に係る包装袋を構成する各要素のうち、同様の機能を有するものについては、実施形態１と同一の符号を付してその説明を省略する。
【００６９】
本実施形態では、開閉部８が、収容された物品（本実施形態では衛生用品２）に対し間隙Ｌｂをもって位置するように衛生用品２の収容空間を規制する規制部３９が包装袋１の面に設けられている。具体的には、規制部３９は、図２４から図２６に示すように、連続した棚形状の突起を包装袋１の内周に形成することで設けられる。すなわち、規制部３９は、突起を包装袋１の内周に連続して形成することによって設けられる。本実施形態では、規制部３９は、包装袋１と別体として形成され、例えば、ヒートシールによって包装袋１の内側の面に接着され、包装袋１と一体となっている。尚、規制部３９は、包装袋１と別体ではなく、包装袋１を内側に折り畳むことで形成しても良い。この場合は、折り畳んだ部分を接着することになる。
【００７０】
図２６（ａ）および図２６（ｂ）に示すように、収容された衛生用品２が、これ以上包装袋１の上部に行かないように、規制部３９によって妨げられ、間隙Ｌｂが保持されることになる。
【００７１】
本実施形態によれば、実施形態２と同様に、開閉部８のうち雌係合部材８ａと雄係合部材８ｂとが係合され易くなり、その結果、包装袋１を簡単且つ迅速に閉塞することが可能となる。包装袋１の閉塞の詳細については、図３（ｂ）、図４において説明した実施形態１と同様である。尚、本実施形態では、規制部３９は、包装袋１の内側の面に連続した棚形状に形成されているが、包装袋１内に間隙Ｌｂが形成されるという目的が達成されるのであれば、複数の突起が間欠的ないしは離散的に形成されてもよい。また、本実施形態は、胴部の天面を覆う屋根型形状の頂部を有した包装袋などの他の形状を有する包装袋にも適用可能である。
【００７２】
＜その他＞  
本発明は、上述した実施形態１から実施形態５や、随所に述べた変形例に限られることなく、本発明の技術的思想から逸脱しない範囲で、適宜の変更や変形が可能である。
【００７３】
例えば、上記各実施形態では、開封線が形成されているが、包装袋を開封可能であるなら、開封線を形成せずに、簡単に破断可能な素材で構成された易破断部を包装袋の頂部付近に設けても良い。また、開封線を形成せずに、両縁を掴んで開封するような包装袋についても本発明は適用可能である。
【００７４】
また、例えば、上記各実施形態に係る包装袋において、間隙Ｌｂ（または間隙Ｌ’ｂ）が設けられることにより、開封後に、包装袋のうち胴部から上の部位は、自由に折り畳める領域を有することになるので、当該領域を折り畳んで開封後の包装袋の開口を覆うようにしても良い。具体的には、例えば、包装袋の立ち上がり部の先端縁に開閉部を構成する一方の要素を設け、対応する他方の構成要素を包装袋の側壁に設けて、当該開閉部により包装袋を閉塞するようにしても良い。これにより、上記開閉部を設けたものと同様に、異物が混入し物品に付着することを防止することが可能となる。
【００７５】
また、上記各実施形態に係る包装袋において、規制部は、物品を取り出し可能な範囲で、その配置、大きさ、個数を適宜設定することが可能である。さらに、規制部は、上記各実施形態において説明した態様に限られず、例えば、包装袋の内側の面に、包装袋の素材よりも摩擦係数の高い素材（例えば、ゴムなど）を貼り付けて設ける態様や、包装袋の内側の面を、エンボス加工又は熱処理加工（熱処理により包装袋の内側の面にパターンを形成する加工）により凹凸化して設ける態様であってもよい。
【００７６】
さらに、上記各実施形態に係る包装袋には、複数の物品が圧縮されて１段分収容されているが、複数段収容されても良い。ここで、物品を２段分収容している包装袋から物品を１段分取り出し、包装袋に物品の１段分の空間がさらに設けられた場合、包装袋のうち物品の収容空間から上の部位を、例えば、折り畳んで包装袋の底面部に巻き付けても良い。具体的には、例えば、上記例と同様に、包装袋の立ち上がり部６の先端縁に開閉部を構成する一方の係合部材を設け、対応する他方の係合部材を包装袋の側壁や底面部に設けて、当該開閉部により包装袋を閉塞するようにしても良い。これにより、開封後の包装袋の開口を覆うことができ、且つ、包装袋全体をコンパクトな形状にすることが可能となる。
【００７７】
上記各実施形態に係る包装袋では、包装袋を天面側からみた場合の形状である略長方形の長辺に対して平行な方向に、物品を配列して収容しているが、これに限られず、例えば、当該長辺に対して垂直な方向に物品を配列して収容したり、物品を平積みされた状態で収容したりしても良い。ここで、物品が平積みされた状態で収容される包装袋であれば、開封前の段階では上記間隙Ｌｂ（または間隙Ｌ’ｂ）が確保されていなくても、最上位の一枚が取り出されたときに間隙Ｌｂ（または間隙Ｌ’ｂ）が確保されればよい。
【００７８】
上記各実施形態に係る包装袋は、開閉部のうち一方の係合部材と他方の係合部材とが、向かい合うように、包装袋の内側に設けられているが、これに限られず、簡単且つ迅速に包装袋を閉塞できるという本発明の所期の目的を達成し得るのであれば、開閉部を、互いに背向するように包装袋の外側に形成してもよい。
【００７９】
上記各実施形態に係る包装袋は、可搬性を考慮して、実施形態１から実施形態３、および実施形態５に係る包装袋の立ち上がり部６の内側（または外側）の面に基端領域が接着される一対の持ち手部を取り付けたり、実施形態４に係る包装袋の立ち上がり部２６に手で持って提げるための穴を形成したりしても良い。ここで、立ち上がり部６に持ち手が取り付けられるのであれば、確保すべき間隙Ｌｂを考慮して持ち手の取り付け位置を定めることができる。
【００８０】
上記各実施形態に係る包装袋には、立ち上がり部が形成されているが、立ち上がり部を形成しない形態であっても良い。これにより、包装袋全体をコンパクトな形状にすることが可能となる。
【符号の説明】
【００８１】
１、１０、１０’  包装袋
２  衛生用品
３、２３  胴部
４、２４  頂部
５  天面部
６、２６  立ち上がり部
７、２７  開封線
８、２８  開閉部
９、９’、３９  規制部
２５  傾斜面部
１００、１１０、１２０、１３０、１３０’、１４０、１４０’、１５０  包装体
【図１】
0006613765.tif 000002
【図２】
0006613765.tif 000003
【図３】
0006613765.tif 000004
【図４】
0006613765.tif 000005
【図５】
0006613765.tif 000006
【図６】
0006613765.tif 000007
【図７】
0006613765.tif 000008
【図８】
0006613765.tif 000009
【図９】
0006613765.tif 000010
【図１０】
0006613765.tif 000011
【図１１】
0006613765.tif 000012
【図１２】
0006613765.tif 000013
【図１３】
0006613765.tif 000014
【図１４】
0006613765.tif 000015
【図１５】
0006613765.tif 000016
【図１６】
0006613765.tif 000017
【図１７】
0006613765.tif 000018
【図１８】
0006613765.tif 000019
【図１９】
0006613765.tif 000020
【図２０】
0006613765.tif 000021
【図２１】
0006613765.tif 000022
【図２２】
0006613765.tif 000023
【図２３】
0006613765.tif 000024
【図２４】
0006613765.tif 000025
【図２５】
0006613765.tif 000026
【図２６】
0006613765.tif 000027